(57)【特許請求の範囲】
【請求項１】
所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記本体部は、少なくとも前記穴の形成領域の外周が曲面部を備えた形状に設けられ、この本体部には、前記第１の開口領域から第２の開口領域に本体部を移動させるため操作片部が設けられていることを特徴とする紙押え装置。
【請求項２】
所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記本体部は、少なくとも前記穴の形成領域の横断面形状が前記ベース面上に横たわる長楕円形状の輪郭に設けられ、前記本体部には、前記第１の開口領域から第２の開口領域に本体部を移動させるため操作片部が設けられていることを特徴とする紙押え装置。
【請求項３】
所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記穴の隣接位置には、綴じ足が第１の開口領域から第２の開口領域に移動するときの当該第２の開口領域を僅かに拡開動作させる変形代が形成されていることを特徴とする紙押え装置。
【請求項４】
前記本体部は長手方向に延びる形状を備え、前記第１の開口領域は、前記本体部の短寸幅方向に沿う仮想平面に対して傾斜する方向に延びて両側を開通する一方、前記第２の開口領域は、前記仮想平面に対して略直交する方向に延びて両側を開通することを特徴とする請求項１、２又は３記載の紙押え装置。
【請求項５】
前記本体部における操作片部の反対側には、前記本体部の回転位置上昇手段が形成されていることを特徴とする請求項１又は２記載の紙押え装置。
【請求項６】
前記回転位置上昇手段は、前記本体部の長手方向と略直交する方向に向けられた片部材により構成され、この片部材の先端は、前記第１の開口領域内に綴じ足が位置した状態で前記ベース面上に接触する位置に設けられ、前記操作部を操作したときの本体部の下降を抑制することを特徴とする請求項５記載の紙押え装置。
【発明の詳細な説明】
【０００１】
【産業上の利用分野】
本発明は、紙押え装置に係り、更に詳しくは、綴じ足に挿入された紙葉類のばたつきを無くすように綴じ込むことができる紙押え装置に関する。
【０００２】
【従来の技術】
従来より、表紙体に設けられた綴じ足を紙葉類の綴じ穴に挿入することにより、当該紙葉類を綴じ込むことができるリングファイルやバインダーが広く利用されている。このようなリングファイルやバインダーにあっては、紙葉類の枚数が比較的少ない場合、ファイルの内部側において紙葉類がばたついて損傷してしまう虞がある。そこで、図１８に示されるような、紙葉類の綴じ込み領域をファイルの表紙体の内面側に押し付けて当該紙葉類を綴じ込むことができる紙押え装置５０が存在する。
【０００３】
この紙押え装置５０は、二本の綴じ足６０が挿入される長穴５１を有する板状部材５２により構成されている。前記長穴５１は、板状部材５２の長手方向に沿って延びるとともに、綴じ足６０の軸径より大きい幅を有する第１の穴５３と、この第１の穴５３に連なって前記軸径より僅かに小さい幅を有する第２の穴５４とを連続的に備えている。ここで、綴じ足６０に綴じ込まれる紙葉類を紙押え装置５０を用いて図示しない表紙体との間に挟み込む場合、まず綴じ足６０が挿入された紙押え装置５０を紙葉類に対して紙面直交方向に押圧する。そして、図１８（Ａ）に示される状態から矢印Ａ方向にスライドさせて、図１８（Ｂ）に示される位置まで紙押え部材５０をスライドさせることで、綴じ足６０の外径寸法と第２の穴部５４の幅との相関関係により、紙押え装置５０の移動が規制されて、紙葉類の綴じ込み領域におけるばたつきが防止されることとなる。
【０００４】
【発明が解決しようとする課題】
しかしながら、このような紙押え装置５０の構成にあっては、紙葉類の挟み込みを行う場合、二方向への力の付与が必要となる。すなわち、紙面に直交する方向からの押し付け力の付与と紙押え装置５０の面方向に沿うスライド力の付与が必要となる。そのため、挟み込み作業が煩雑若しくは困難になるという不都合を生じる。しかも、前記二方向へ同時に力を付与しなければならないため、押し付け力が弱くなりがちとなり、紙押え装置５０と表紙体との間に紙葉類をきっちり挟み込みできなくなるという不都合を招来する。
【０００５】
【発明の目的】
本発明は、このような不都合に着目して案出されたものであり、その目的は、押し付け力を付与する方向と挟み付けを行う方向とを一致させて簡易な操作感を確保する一方、紙葉類の確実な挟み込み姿勢の維持を可能とすることのできる紙押え装置を提供することにある。
【０００７】
【課題を解決するための手段】
また、本発明は、所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記本体部は、少なくとも前記穴の形成領域の外周が曲面部を備えた形状に設けられ、この本体部には、前記第１の開口領域から第２の開口領域に本体部を移動させるため操作片部が設けられる、という構成を採っている。このような構成によれば、綴じ足が第１の開口領域に挿入された状態で、本体部を紙面に対して押し付けるように操作することにより、第１の開口領域に連なる第２の開口領域内に綴じ足を無理なく移動させることができる。この際、第２の開口領域が綴じ足に締め付け力を付与する反作用によって本体部の移動が規制されるので、簡易且つ迅速に紙葉類の挟み付け作業を行うことができる。更に、紙葉類を挟み付ける方向にのみ力を付与することで足りるため、操作上の無理も解消することができる。また、本体部を回転させながら移動させる動作を滑らかにでき、押圧力を付与する領域確保を通じて操作感を軽くすることができる。この一方、紙押え装置を取り外すときには、指先を操作片部に引っ掛けて引き上げればよく、着脱操作の負担を軽減することが可能となる。
更に、本発明は、所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記本体部は、少なくとも前記穴の形成領域の横断面形状が前記ベース面上に横たわる長楕円形状の輪郭に設けられ、前記本体部には、前記第１の開口領域から第２の開口領域に本体部を移動させるため操作片部が設けられる、という構成も採用される。
また、本発明は、所定のベース面から起立する綴じ足回りに装着されて前記ベース面との間に紙葉類を挟み込み可能な紙押え装置において、
前記紙押え装置は、前記綴じ足が挿入可能な穴を有する本体部を備え、
前記穴は、前記綴じ足がルーズに挿入可能な第１の開口領域と、当該第１の開口領域に連なるとともに前記綴じ足を径方向から締め付け可能な第２の開口領域とからなり、
前記綴じ足を第１の開口領域に挿入した状態で前記本体部をベース面側に押圧したときに、前記第２の開口領域内に綴じ足が位置して当該綴じ足を締め付けた状態で固定され、
前記穴の隣接位置には、綴じ足が第１の開口領域から第２の開口領域に移動するときの当該第２の開口領域を僅かに拡開動作させる変形代が形成されり、という構成も採用することができる。このような構成とすれば、第２の開口領域内に綴じ足が位置する際に、当該第２の開口領域における弾性変形を無理なく許容するとともに、操作感を軽くする一方で、締め付け力を強く発揮させることができる。
【０００８】
【発明の実施の形態】
本発明における本体部は長手方向に延びる形状を備え、前記第１の開口領域は、前記本体部の短寸幅方向に沿う仮想平面に対して傾斜する方向に延びて両側を開通する一方、前記第２の開口領域は、前記仮想平面に対して略直交する方向に延びて両側を開通する、という構成を採るとよい。これにより、綴じ足を第１の開口領域に挿入したときに、本体部が傾いた姿勢となり、綴じ足が第２の開口領域内に位置するように本体部を移動させるときの押圧力を容易に付与することができる。
【００１２】
また、前記本体部における操作片部の反対側には、前記本体部の回転位置上昇手段を形成することが好ましい。このような構成では、例えば、綴じ足の基部にかしめ等のリング状部がある場合に、当該リング状部を避けた直近の上部位置に紙押え装置を装着することができ、前記開口領域を損傷してしまう虞を回避することができる。また、綴じ足の基部形状に依存することなく適用可能な汎用性を備えた紙押え装置を提供することが可能となる。
【００１３】
なお、前記回転位置上昇手段は、前記本体部の長手方向と略直交する方向に向けられた片部材により構成され、この片部材の先端は、前記第１の開口領域内に綴じ足が位置するときに、前記ベース面上に接触する位置に設けられ、且つ、前記第１の開口領域に挿入された綴じ足を第２の開口領域に位置させるときの回転中心を形成して前記本体部を上昇させる、という構成が採用されている。これにより、操作片部に押圧力を付与するだけで、本体部が綴じ足の軸線に沿って自動的に上昇した位置で回転できるようになり、極めて簡易なる構成によって紙押え装置を上昇した位置に装着することができる。
【００１４】
【実施例】
以下、本発明の実施例を図面を参照しながら説明する。
【００１５】
[第１実施例]
図１には、本発明の紙押え装置がリングファイルに適用された第１の実施例に係る概略斜視図が示されている。この図において、リングファイル１０は、背表紙１１を介して左右両側に連設された表表紙１２及び裏表紙１３からなる表紙体１４と、裏表紙１３における背表紙１１寄りの内面側に配置されたベース１５と、このベース１５に支持されるとともに、上部位置で接離可能に設けられてループを開閉可能な綴じ足１６とを有する綴じ具１７を備えて構成されている。綴じ足１６には、紙葉類Ｐが綴じ込まれているとともに、この紙葉類Ｐの上面側に紙押え装置２０が装着されている。
【００１６】
前記紙押え装置２０は、特に限定されるものでないが、本実施例では、ポリアセタール（ＰＯＭ）、ポリスチレン或いはＡＢＳ等の樹脂を成形材料とした一体成形品により構成されている。この紙押え装置２０は、図２及び図３に示されるように、全体として棒状をなし、横断面形状が紙葉類Ｐ上に横たわる長楕円形状の輪郭を有して外周が曲面となる本体部３０と、この本体部３０の上面３０Ａ側に設けられた操作片部３１とを備えて構成されている。ここで、本体部３０の長手方向両端近傍位置には、各綴じ足１６,１６を挿入可能な穴３２,３２がそれぞれ形成されている。
【００１７】
前記操作片部３１は、図３に示されるように、本体部３０の上面３０Ａの最上位置から略水平に延びて前記長楕円の長軸方向と略平行となる押圧操作面３１Ａと、この押圧操作面３１Ａの外縁から、本体部３０の図３中右側下部に向かって傾斜した指掛け操作面３１Ｂとにより構成されている。
【００１８】
前記穴３２は、実際には型による成形であるが、本体部３０に対して二方向から軸線位置が交差するようにドリルで穴を開通したような形状をしている。すなわち、穴３２は、図３（Ｂ）に示されるように、仮想平面と略平行となる本体部３０の最大径Ｄに対して右上がりとなる傾斜方向Ｃ１に沿って延びるとともに両側を開通する第１の開口領域３３と、本体部３０の中央部において、前記仮想平面と略直交する方向、すなわち、最大径Ｄ方向と略直交する垂直方向Ｃ２に沿って延びるとともに上下両側を開通する第２の開口領域３４とを備えて構成されている。従って、これら第１及び第２の開口領域３３，３４を図２中上方から見たときには、瓢箪に近似した形状を呈するように表れる。
【００１９】
次に、綴じ足１６、第１及び第２の開口領域３３，３４の各寸法的条件を、図４（Ａ），（Ｂ）を参照しながら説明する。ここで、図４（Ａ）には、紙押え装置２０を綴じ足１６に挿入した初期状態の平面図が示され、図４（Ｂ）には、紙押え装置２０によって紙葉類Ｐを挟み込んだ状態の平面図が示されている。なお、図４（Ａ）,（Ｂ）は、図５（Ａ）,（Ｂ）に示された紙押え装置２０を上方から見た状態にそれぞれ対応するものである。
【００２０】
図４において、第１の開口領域３３の内径Ｄ１は、綴じ足１６の外径Ｄ２より大きく設定されている一方、第２の開口領域３４の内径Ｄ３は、前記外径Ｄ２より僅かに小さく設定されている。これにより、第１の開口領域３３は、綴じ足１６を遊挿可能に形成される一方、第２の開口領域３４は、当該第２の開口領域内に綴じ足１６を強制的に受容しようとするときに、自らの開口面積を僅かに拡大するように弾性変形する一方で適度な締め付け力を綴じ足１６に付与することとなる。ここで、弾性変形を無理なく行うことができるように、変形代としてのスロット穴３５，３５が形成されている。これらのスロット穴３５,３５は、前記各穴３２,３２を中心としてこれを挟む両側に隣接する位置に設けられ、各スロット穴３５,３５は、本体部３０の短寸幅方向に延びる略長穴状に形成されている。
【００２１】
以上の構成において、本実施例における紙押え装置２０は、図５に示されるように、穴３２に綴じ足１６を挿入した状態で本体部３０を紙葉類Ｐ上に押し付けることで、ベース１５と相互に作用して紙葉類Ｐの綴じ込み領域を挟み込むことができる。すなわち、第１の開口領域３３が前述したように傾斜する方向に沿って延びて形成されているため、紙押え装置２０は傾倒した状態、つまり操作片部３１が上方に向けられた姿勢で紙葉類Ｐ上に配置される。そして、当該本体部３０を図５（Ａ）中矢印Ｂ方向に回転させるように押圧操作面３１Ａを押し付けて、図５（Ｂ）に示される位置まで回転させることにより、第２の開口領域３４内に綴じ足１６が強制的に移動して、当該綴じ足１６に径方向から締め付け力が付与されることとなる。これにより、紙押え装置２０の以後の移動が規制され、紙葉類Ｐの綴じ込み領域における挟み込み状態を確保することができる。ここで、紙押え装置２０は傾倒した状態で紙葉類Ｐ上に配置されるため、押し付け力及び挟み付け力の方向が略一致することにより、確実に挟み込み姿勢を維持することができ、且つ、簡易な操作感を得ることが可能となる。
【００２２】
なお、紙葉類Ｐの挟み込み状態を解除する作業は、紙押え装置２０を前記矢印Ｂ方向の反対方向に回転することで、つまり、前記指掛け操作面３１Ｂに指を引っ掛けて上向きに引き上げることで、第２の開口領域３４から綴じ足１６が脱出して第１の開口領域３３に移動することとなり、これによって、紙葉類Ｐの挟み込み状態を解除することができる。
【００２３】
従って、このような第１の実施例によれば、紙押え装置２０を回転することによって極めて簡易且つ迅速なる紙葉類Ｐの挟み込み及びこの解除作業を行うことができる、という効果を得る。この際、挟み込み作業は、本体部３０を紙葉類Ｐに対して押圧する方向にのみ回転して行われるので、紙葉類Ｐを押え付けた状態を確保しながら挟み込みを行うことができ、装着不良も生ずることがない。
【００２４】
[第２実施例]
次に、本発明の第２の実施例を図６ないし図１７を参照しながら説明する。なお、以下の説明において、前記第１の実施例と同一若しくは同等の構成部分については、必要に応じて同一符号を用いるものとし、説明を省略若しくは簡略にする。
【００２５】
この第２の実施例は、図１６に拡大して示されるように、綴じ足１６の基端１６Ａがベース１５にかしめられて当該綴じ足１６の基端外周にリング状部３８が形成されるタイプの綴じ具１７にも適合できるようにしたところに特徴を有する。具体的には、本体部３０における操作片部３１の反対側に、本体部３０の回転位置上昇手段を構成する片部材３９が設けられている。この片部材３９は、図７中、操作片部３１の左右幅よりも短い幅に設けられており、これにより、紙押え装置２０を綴じ足１６に装着する際に、当該綴じ足１６に干渉しない位置で、紙葉類の上面に接触するようになっている。なお、片部材３９は、綴じ足１６,１６の基部間の長さよりも短ければよい。また、図９に示されるように、本体部３０の同図中左端から略鉛直方向、すなわち、本体部３０の短寸幅方向（図９中左右方向）と略直交する方向に垂下する形状に設けられている。そして、片部材３９は、その先端３９Ａが、図１６に示されるように、第１の開口領域３３内に綴じ足１６が位置して全体が傾倒した姿勢となっているときに、ベース１５面上に接触することのできる長さに設けられている。なお、本体部３０の長手方向両側において、穴３２及びスリット穴３５の形成領域は、その輪郭が第１の実施例と同様に、外周が局面となる長楕円形状に設けられている。この一方、本体部３０の長手方向両側に各２個ずつ設けられた合計４個のスリット穴３５,３５のうち、内側に位置するスリット穴３５、３５間の本体部３０領域は、操作片部３１に連なる円弧状の片状に形成されている。また、本体部３０の両端部近傍の下面側は空洞部４０（図８及び図１３参照）とされ、これにより、全体としての使用材料の削減と重量軽減が達成されている。その他の構成は実質的に前記第１の実施例と同様である。
【００２６】
第２の実施例において、紙押え装置２０を用いて紙葉片Ｐを挟み込む場合も、実質的に第１の実施例と同様の手順で行われる。ここで、図１６に示されるように、紙押え装置２０をセットして操作片部３１を押圧して回転させる力を付与すると、前記片部材３９の先端３９Ａがベース１５面に接触しているため、本体部３０は、初期の回転動作において、片部材３９の先端３９Ａが紙葉片Ｐに接しながら回転することで当該本体部３０の下降が抑制され、第１の開口領域３３がリング状部３８に食い込んで回転できなくなる虞を回避する。そして、図１７に示されるように、操作片部３１がベース１５面に対して略平行となる位置まで回転したときに、リング状部３８の直近の真上位置で第２の開口領域３４内に綴じ足１６を位置させることとなる。
【００２７】
従って、このような第２の実施例によれば、綴じ足１６の基部１６Ａをかしめた構造を採用して軸径が部分的に太くされたものであっても紙押え装置２０を適用することができるという効果を得る。
【００２８】
なお、前記穴３２の形成数は、図示構成例に限定されるものではなく、必要に応じて増加させてもよい。要するに、本発明は、綴じ足の本数或いは綴じ具の長さ等に応じて、穴の形成数を決定すれば足りる。また、前記実施例では、綴じ足を挿入する開口領域回りが閉塞された構造を示したが、本発明は、これに限定されるものではなく、本体部の一部が外縁に向かって開通して切り欠いた形状となる開口領域とすることもできる。要するに、本発明の開口領域は、本体部を変位させることによって紙押え装置が綴じ足に静止した状態で装着できる形状であれば足りる。
【００２９】
【発明の効果】
以上説明したように、本発明の紙押え装置によれば、本体部を紙面に対して押し付けるように操作することで、本体部が変位して綴じ足に保持されるようになるため、極めて簡単な操作で紙葉類の挟み込みを行うことができる。
【００３０】
また、第１の開口領域から第２の開口領域に綴じ足が位置して当該綴じ足に締め付け力を付与するように構成されているため、穴構造も極めて簡易なものとなる他、紙押え装置の装着位置を安定して保つことが可能となる。
【００３１】
また、本体部を、長手方向に延びる形状とし、当該本体部の短寸幅方向に沿う仮想平面に対して第１の開口領域を傾斜する方向に設ける一方、前記第２の開口領域を仮想平面に対して略直交する方向に設けたから、綴じ足を第１の開口領域に挿入したときに、本体部を傾いた姿勢とすることができ、綴じ足が第２の開口領域内に位置するように本体部を移動させるときの押圧力を容易に付与することができる。
【００３２】
更に、本体部における穴の形成領域の外周を曲面にするとともに、本体部を回転移動させるための操作片部を設けたから、本体部を回転させながら移動させる動作を滑らかにでき、押圧力を付与する領域確保を通じて操作感を軽くすることができる。しかも、紙押え装置を取り外すときには、指先を操作片部に引っ掛けて引き上げればよく、着脱操作の負担を軽減することが可能となる。
【００３３】
また、穴の隣接位置に変形代を設けた構成では、第２の開口領域内に綴じ足を位置させる際に生ずる抵抗を弱めることができるようになり、操作感を軽くする一方で、締め付け力を強く発揮させることができる。
【００３４】
更に、回転位置上昇手段を、本体部の長手方向と略直交する方向に向けられた片部材により構成し、当該片部材の先端が、本体部を回転させるときの回転中心を形成して当該本体部を上昇させる構成とした場合には、操作片部に押圧力を付与するだけで、本体部が綴じ足の軸線に沿って自動的に上昇した位置で回転できるようになり、極めて簡易なる構成によって紙押え装置を上昇した位置に装着することができる。
【図面の簡単な説明】
【図１】本実施例に係る紙押え装置を用いたリングノートの概略斜視図。
【図２】前記紙押え装置の概略斜視図。
【図３】（Ａ）は図２の拡大左側面図、（Ｂ）は図２のＡ−Ａ線に沿う矢視拡大断面図。
【図４】（Ａ）は操作片部を上向き姿勢とした状態の紙押え装置の平面図。（Ｂ）は操作片部を水平姿勢とした状態の紙押え装置の平面図。
【図５】（Ａ）は紙押え装置の初期作業状態を示す前記リングノートの一部横断面図、（Ｂ）は紙押え装置の挟み込み状態を示す前記リングノートの一部横断面図。
【図６】本発明の第２の実施例に係る紙押え装置の正面図
【図７】図６の側面図。
【図８】図６の背面図。
【図９】図６のＢ−Ｂ線矢視拡大断面図。
【図１０】図６のＣ−Ｃ線矢視拡大断面図。
【図１１】図６のＤ−Ｄ線矢視拡大断面図。
【図１２】図６のＥ−Ｅ線矢視拡大断面図。
【図１３】図６のＦ−Ｆ線矢視拡大断面図。
【図１４】第２の実施例に係る紙押え装置の初期装着作業状態を示すリングノートの一部横断面図。
【図１５】第２の実施例に係る紙押え装置に押圧力を付与する直前の状態を示すリングノートの一部横断面図。
【図１６】図１５の要部拡大断面図。
【図１７】第２の実施例に係る紙押え装置で紙葉類を挟み込んだ状態を示すリングノートの一部横断面図。
【図１８】（Ａ）及び（Ｂ）は従来の紙押え装置の使用状態を示す平面図。
【符号の説明】
１４  表紙体
１６  綴じ足
１７  綴じ具
２０  紙押え装置
３０  本体部
３１  操作片部
３２  穴
３３  第１の開口領域
３４  第２の開口領域
３５  スリット穴（変形代）
３９  片部材（回転位置上昇手段）
Ｐ  紙葉類
【図１】
0003664031.tif 000002
【図２】
0003664031.tif 000003
【図３】
0003664031.tif 000004
【図４】
0003664031.tif 000005
【図５】
0003664031.tif 000006
【図６】
0003664031.tif 000007
【図７】
0003664031.tif 000008
【図８】
0003664031.tif 000009
【図９】
0003664031.tif 000010
【図１０】
0003664031.tif 000011
【図１１】
0003664031.tif 000012
【図１２】
0003664031.tif 000013
【図１３】
0003664031.tif 000014
【図１４】
0003664031.tif 000015
【図１５】
0003664031.tif 000016
【図１６】
0003664031.tif 000017
【図１７】
0003664031.tif 000018
【図１８】
0003664031.tif 000019